(57)【要約】【課題】  尿漏れにより一度汚れた面を長時間着用し続けることなく、装着したままの状態で簡単な操作で清潔な吸収面と置き換えて装着し続けることが可能な男性用軽失禁パッドを提供する。【解決手段】  吸収性シートの吸収性面を男性器に宛がって使用する男性用軽失禁パッドであって、吸収性シートを綴じ合わせた構造の冊子本状積層体よりなり、かつ、該冊子本状積層体の複数の開き面が吸収性シートの吸収性面よりなることを特徴とする男性用軽失禁パッド。【選択図】  図１Ａ
2010273775.tif 000002
【特許請求の範囲】
【請求項１】
吸収性シートの吸収性面を男性器に宛がって使用する男性用軽失禁パッドであって、吸収性シートを綴じ合わせた構造の冊子本状積層体よりなり、かつ、該冊子本状積層体の複数の開き面が吸収性シートの吸収性面よりなることを特徴とする男性用軽失禁パッド。
【請求項２】
前記冊子本状積層体は、内面が吸収性面である一対の外側吸収性シートの間に、少なくとも一面が吸収性面である中側吸収性シートを有していることを特徴とする請求項１記載の男性用軽失禁パッド。
【請求項３】
前記冊子本状積層体は、少なくとも一面が吸収性面である複数の中側吸収性シートを有していることを特徴とする請求項１又は２に記載の男性用軽失禁パッド。
【請求項４】
前記冊子本状積層体は、両面が吸収性面である吸収性シートよりなる中側吸収性シートを有することを特徴とする請求項１〜３のいずれかに記載の男性用軽失禁パッド。
【請求項５】
前記冊子本状積層シートは、その前小口に相当する端部において、前記中側吸収性シートの端部が前記外側吸収性シートの端部より外方に突出していることを特徴とする請求項１〜４のいずれかに記載の男性用軽失禁パッド。
【請求項６】
前記外側吸収性シート及び前記中側吸収性シートの各吸収性面は、支持シート面に吸収体と該吸収体を覆う透水性シートを積層して形成されている吸収性面であることを特徴とする請求項１〜５のいずれかに記載の男性用軽失禁パッド。
【請求項７】
前記冊子本状積層体の外側吸収性シート及び中側吸収性シートは、冊子本状積層体の天、地、小口、及び綴じ部に相当する各端部が帯状の吸収体非存在領域である吸収性シートよりなることを特徴とする請求項１〜６のいずれかに記載の男性用軽失禁パッド。
【請求項８】
前記冊子本状積層体は、その天又は地に相当する端部における前記綴じ部から離れた部位に全吸収性シートを一体的に接合している接合部を有することを特徴とする請求項１〜７のいずれかに記載の男性用軽失禁パッド。
【請求項９】
前記冊子本状積層体は、前記綴じ部の長手方向中央部から一方の端部に至る途中の部位から前記冊子本状積層体の天又は地に相当する端部に至る、全吸収性シートを一体的に接合している連続状あるいは不連続状の線状もしくは帯状の傾斜接合部を有し、該傾斜接合部に沿って、冊子本状積層体の綴じ部の長手方向一端部を含む角部が切り欠かれていることを特徴とする請求項１〜７のいずれかに記載の男性用軽失禁パッド。
【請求項１０】
前記綴じ部に、該綴じ部を覆う背綴じシートが貼合されていることを特徴とする請求項１〜９のいずれかに記載の男性用軽失禁パッド。
【発明の詳細な説明】
【技術分野】
【０００１】
本発明は、男性用軽失禁パッドに関する。更に詳しくは、尿漏れにより一度汚れた面を長時間着用し続けることなく、簡単な操作で清潔な面と交換した状態で装着し続けることが可能な男性用軽失禁パッドに関する。
【背景技術】
【０００２】
従来、乳幼児用、或いは高齢者・障害者等の成人用の尿パッドとして、液透過性トップシートと、液不透過性バックシートと、両シートの間の一部に介装された吸収体とを備えた尿パッドが知られている。
このような尿パッドは、液透過性トップシートの表面を着用者の肌に接するように宛がって使用することにより、着用者の排泄した尿はトップシートを透過して、吸収体によって吸収・保持されるとともに、防漏性に優れたバックシートによって、尿が外部に漏洩してしまうことが防止されているものであり、様々なケースに対応する多種の製品が提供されている。
【０００３】
一般に、軽度の失禁トラブルを抱える割合は男性に比べて女性のほうが多いといわれるが、男性の場合は、前立腺肥大症をきっかけに、切迫性尿失禁や溢流性尿失禁などになることがあるし、また、身体機能が低下してトイレに間に合わない機能性尿失禁や、病気などで寝たきりになった場合の尿の処理などのさまざまなケースがあり、それぞれに異なる多種類の尿吸収性物品が必要とされている。
【０００４】
男性用に特化した尿パッドとしては、男性器を被包して用いるタイプのものが提案されている（特許文献１参照）。このような男性用軽失禁パッドは、例えば、矩形の尿パッドを、粘着テープ等を利用して三角形に成型して男性器を包み込んだ状態で用いるため、使い捨ておむつや、単に衣類やおむつ上に載置して用いる尿パッドと比較して、尿と着用者の肌との接触面積を少なくすることができる。
【０００５】
また、男性用軽失禁パッドの他のタイプとしては、例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成されたもの（例えば、特許文献２参照）や、予め袋状に成型されたもの（例えば、特許文献３参照）なども提案されている。
【先行技術文献】
【特許文献】
【０００６】
【特許文献１】特開平８−２８０７２７号公報
【特許文献２】特開２００１−１２９０１２号公報
【特許文献３】特開平９−２９９３９２号公報
【発明の概要】
【発明が解決しようとする課題】
【０００７】
一般に、男性用トイレには、汚物入れが備わっていない場合がほとんどであり、外出時に失禁製品を捨てる場所が極めて少ない。そのため、上述した各特許文献に記載された尿パッドでは、尿漏れにより一度汚れた吸収面を肌に接したままの状態で長時間装着し続けるか、汚れたパッドを新しいパッドと取り換えた上で、汚れたパッドを持ち歩かなければならないこととなる場合が多くなる。
本発明は、このような従来技術の課題を解決するためになされたものであって、尿漏れにより一度汚れた面を長時間着用し続けることなく、装着したままの状態で簡単な操作で清潔な吸収面と置き換えて装着し続けることが可能な男性用軽失禁パッドを提供することを目的とするものである。
【課題を解決するための手段】
【０００８】
本発明者らは、上記の課題を解決するために鋭意研究を行った結果、下記の技術的事項を基礎として構成される男性用軽失禁パッドの発明に至ったのである。
【０００９】
（１）吸収性シートの吸収性面を男性器に宛がって使用する男性用軽失禁パッドであって、吸収性シートを綴じ合わせた構造の冊子本状積層体よりなり、かつ、該冊子本状積層体の複数の開き面が吸収性シートの吸収性面よりなることを特徴とする男性用軽失禁パッド。
【００１０】
（２）前記冊子本状積層体は、内面が吸収性面である一対の外側吸収性シートの間に、少なくとも一面が吸収性面である中側吸収性シートを有していることを特徴とする（１）記載の男性用軽失禁パッド。
【００１１】
（３）前記冊子本状積層体は、少なくとも一面が吸収性面である複数の中側吸収性シートを有していることを特徴とする（１）又は（２）に記載の男性用軽失禁パッド。
【００１２】
（４）前記冊子本状積層体は、両面が吸収性面である吸収性シートよりなる中側吸収性シートを有することを特徴とする（１）〜（３）のいずれかに記載の男性用軽失禁パッド。
【００１３】
（５）前記中側吸収性シートは、支持シートの両面に吸収性層が設けられている両面が吸収性面である吸収性シートよりなることを特徴とする（１）〜（４）のいずれかに記載の男性用軽失禁パッド。
【００１４】
（６）前記中側吸収性シートは、支持シートの片面に吸収性層が設けられている片面が吸収性面である吸収性シートを、その吸収性面を外側にして二つ折りし、その二つ折りした折目部と対向する一対の自由端部を前記冊子本状積層体の綴じ部内に綴じ込んだ状態で綴じ合わされている、両面が吸収性面である吸収性シートよりなることを特徴とする（１）〜（４）のいずれかに記載の男性用軽失禁パッド。
（７）前記二つ折りした吸収性シートの相対する支持シート面間が接合されていることを特徴とする（６）記載の男性用軽失禁パッド。
【００１５】
（８）前記中側吸収性シートは、支持シートの片面に吸収性層が設けられている片面が吸収性面である吸収性シートを、その吸収性面を内側にして二つ折りし、その二つ折りした折目部を前記冊子本状積層体の綴じ部内に綴じ込んで形成されていることを特徴とする（１）〜（３）のいずれかに記載の男性用軽失禁パッド。
【００１６】
（９）前記中側吸収性シートは、支持シートの片面に吸収性層が設けられている片面が吸収性面である吸収性シートを、その吸収性面を内側にして二つ折りした複数の二つ折り吸収性シートを、それぞれの二つ折りした折目部を揃えて重ね合わせ、該重ね合わせた折目部を前記冊子本状積層体の綴じ部内に綴じ込んで形成されていることを特徴とする（１）〜（３）のいずれかに記載の男性用軽失禁パッド。
【００１７】
（１０）前記中側吸収性シートは、支持シートの片面に吸収性層が設けられている片面が吸収性面である吸収性シートを蛇腹折りし、支持シート面が内側となるように一方の複数の折目部と吸収性シートの両端部とを重ね合わせ、該重ね合わせ部を前記冊子本状積層体の綴じ部内に綴じ込んで形成されている、両面が吸収性面である吸収性シートよりなることを特徴とする（１）〜（４）のいずれかに記載の男性用軽失禁パッド。
（１１）前記両面が吸収性面である吸収性シートの相対する支持体面間が接合されていることを特徴とする（１０）記載の男性用軽失禁パッド。
【００１８】
（１２）前記冊子本状積層体は、支持シートの片面に吸収性層が設けられている片面が吸収性面である吸収性シートを二つ折りして形成されている内面が吸収性面である一対の外側吸収性シート間に前記中側吸収性シートを配置し、該外側吸収性シートの二つ折りした折目部の谷折り部内に中側吸収性シートの一端部を差し込んだ状態で該折り目部で全吸収性シートを一体接合して綴じ部が形成されていることを特徴とする（１）〜（１１）のいずれかに記載の男性用軽失禁パッド。
（１３）前記冊子本状積層体は、支持シートの片面に吸収性層が設けられている片面が吸収性面である吸収性シートを二つ折りして形成されている内面が吸収性面である二つ折り吸収性シートの複数枚を、それぞれにおける二つ折りした折目部側を揃えて積み重ね、該積み重ね折目部を接合一体化して綴じ部が形成されていることを特徴とする（１）〜（３）のいずれかに記載の男性用軽失禁パッド。
【００１９】
（１４）前記冊子本状積層体は、支持シートの片面に吸収性層が設けられている片面が吸収性面である吸収性シートを二つ折りして形成されている内面が吸収性面である二つ折り吸収性シートの複数枚を、それぞれにおける二つ折りした折目部側を揃えて積み重ね、該積み重ね折目部を接合一体化して綴じ部が形成され、かつ、前記積重ねられた複数枚の二つ折り吸収性シートの相対する支持シート面間が接合されて両面が吸収性面である中側吸収性シートが形成されていることを特徴とする（１）〜（４）のいずれかに記載の男性用軽失禁パッド。
【００２０】
（１５）前記冊子本状積層シートは、その前小口に相当する前端側において、前記中側吸収性シートの自由端部が前記外側吸収性シートの自由端部より外方に突出していることを特徴とする（１）〜（１４）のいずれかに記載の男性用軽失禁パッド。
【００２１】
（１６）前記外側吸収性シート及び前記中側吸収性シートの各吸収性面は、支持シート面に吸収体と該吸収体を覆う透水性シートを積層して形成されている吸収性面であることを特徴とする（１）〜（１５）のいずれかに記載の男性用軽失禁パッド。
【００２２】
（１７）前記冊子本状積層体の外側吸収性シート及び中側吸収性シートは、冊子本状積層体の天、地、小口、及び綴じ部に相当する各端部が帯状の吸収体非存在領域である吸収性シートよりなることを特徴とする（１）〜（１６）のいずれかに記載の男性用軽失禁パッド。
【００２３】
（１８）前記冊子本状積層体は、その天又は地に相当する上端部又は下端部における前記綴じ部から離れた部位に全吸収性シートを一体的に接合している接合部を有することを特徴とする、（１）〜（１７）のいずれかに記載の男性用軽失禁パッド。
【００２４】
（１９）前記冊子本状積層体は、前記綴じ部の長手方向中央部から一方の端部に至る途中の部位から前記冊子本状積層体の天又は地に相当する上端部又は下端部に至る、全吸収性シートを一体的に接合している連続状あるいは不連続状の線状もしくは帯状の傾斜接合部を有し、該傾斜接合部に沿って、冊子本状積層体の綴じ部の長手方向一端部を含む角部が切り欠かれていることを特徴とする（１）〜（１８）のいずれかに記載の男性用軽失禁パッド。
【００２５】
（２０）前記綴じ部に、該綴じ部を覆う背綴じシートが貼合されていることを特徴とする、（１）〜（１９）のいずれかに記載の男性用軽失禁パッド。
（２１）連続供給される帯状支持シートの上面に、所定形状の吸収体を流れ方向に等間隔で２列に配置し、該吸収体群を覆って前記帯状支持シートと同一幅の帯状透水性シートを配置し、該吸収体群の個々の吸収体を包み込むように個々の吸収体の周縁部において前記支持シートと透水性シート間を接合して流れ方向に等間隔で配置されている吸収体列を２列有する連続シートを、該２列の吸収体列の間において該吸収体列を内側にして幅方向に二つ折りして該連続体の両側縁部を重ね合わせて中側吸収性シート原反の連続体を製造する工程、
連続供給される帯状支持シートの上面に、所定形状の吸収体を流れ方向に等間隔で２列に配置し、該吸収体群を覆って前記帯状支持シートと同一幅の帯状透水性シートを配置し、該吸収体群の個々の吸収体を包み込むように個々の吸収体の周縁部において前記支持シートと透水性シート間を接合して流れ方向に等間隔で配置されている吸収体列を２列有する外側吸収性シート原反の連続体を製造する工程、
上記外側吸収性シート原反の連続体の一方の吸収体列上に、前記中側吸収性シート原反の連続体を、その前記二つ折りして重ね合わせた両側縁部が前記外側吸収性シート原反の２列の吸収体列の間に位置し、前記二つ折りした折目部側の側縁部が前記外側吸収性シート原反の一方の側縁部と揃うように位置し、かつ、前記両原反の吸収体列における個々の吸収体同士が重なり合うように配置した後、前記外側吸収性シート原反の連続体の他方の吸収体列側を前記中側吸収体原反の連続体上に折り重ねて中側吸収性シートの吸収体列と外側吸収性シート原反の連続体の他方の吸収体列とを重ね合わせて、前記外側吸収性シート原反の二つ折りした連続体内に前記二つ折りした中側吸収性シート原反の連続体を挟み込んだ状態で該外側吸収性シート原反の連続体の二つ折りした折目部に沿って流れ方向に全吸収性シートの重なり部分を帯状に接合一体化して冊子本状積層体原反の連続体を製造する工程、
該冊子本状積層体原反の連続体を、個々の吸収体の周縁部に沿って、所定形状に切り離して一端部が綴じ部である冊子本状積層体を製造する工程、
からなる、冊子本状積層体よりなる男性用軽失禁パッドの製造方法。
【発明の効果】
【００２６】
本発明の男性用軽失禁パッドは、尿漏れにより一度汚れた面を装着状態のまま簡単な操作で清潔な未使用吸収性面に替えると同時に使用済み吸収性面を閉鎖することができるので、長時間着用し続けることが可能であり、日常生活を営む男性の軽度の失禁対策用パッドとして特に好適である。
すなわち、本発明の男性用軽失禁パッドの任意の吸収性面（通常は最初の吸収性面）を開いて使用し、吸収性面が汚れた場合は該汚れ面を有する内側吸収性シートを汚れ面を閉じる方向に倒すだけで、汚れた面を閉じ込めると同時に未使用吸収面を開くことが可能であるので、着用者の肌を常に清潔な状態に保つことができるし、上記汚れ面と新鮮面の交換操作を装着状態のままで着衣を汚さずに行うことが可能となる。
【図面の簡単な説明】
【００２７】
【図１Ａ】本発明の一実施例である男性用軽失禁パッドの斜視図であり、軽失禁パッドを部分的に開いて吸収性面側から見た図である。
【図１Ｂ】図１Ａの男性用軽失禁パッドを部分的に開いて外面側（背側）から見た斜視図である。
【図１Ｃ】本発明の一実施例の男性用軽失禁パッドを閉じた状態で、冊子本の背に相当する綴じ部から前小口に相当する前端部方向に（幅方向に）軽失禁パッドを切断した断面を示す図である。
【図１Ｄ】本発明の男性用軽失禁パッドの１回目の使用面を開いた状態を示す図である。
【図１Ｅ】図１Ｄに示す１回目の使用面を閉じて新しい２回目の使用面を開いた状態を示す図である。
【図２】図１Ｃとは異なる中側吸収性シートを有する男性用軽失禁パッドを切断した断面を示す図である。
【図３Ａ】図１Ｃ及び図２とは異なる中側吸収性シートを有する男性用軽失禁パッドを切断した断面を示す図である。
【図３Ｂ】図１Ｃ、図２及び図３Ａとは異なる中側吸収性シートを有する男性用軽失禁パッドを切断した断面を示す図である。
【図３Ｃ】図１Ｃ、図２、図３Ａ及び図３Ｂとは異なる中側吸収性シートを有する男性用軽失禁パッドを切断した断面を示す図である。
【図４】図２とは異なる綴じ部の構造を有する男性用軽失禁パッドの綴じ部の断面を示す図である。
【図５Ａ】図１Ｂとは異なる形状の綴じ部を有する男性用軽失禁パッドを開いた状態で外面側（綴じ部側）を見た斜視図である。
【図５Ｂ】図５Ａの男性用軽失禁パッドを閉じた状態における側面図である。
【図６Ａ】図２に示す男性用軽失禁パッドの綴じ部をさらに背綴じシートで覆った綴じ部の断面を示す図である。
【図６Ｂ】図６Ａとは異なる背綴じシートを有する綴じ部の断面を示す図である。
【図６Ｃ】図４の男性用軽失禁パッドの綴じ部を背綴じシートで覆った綴じ部の断面を示す図である。
【図６Ｄ】図６Ｃとは異なる背綴じシートを有する綴じ部の断面を示す図である。
【図７】図１とは異なる全体形状を有する男性用軽失禁パッドを部分的に開いて吸収性面を見た斜視図である。
【図８Ａ】本発明の男性用軽失禁パッドの装着状態の一例を示す図である。
【図８Ｂ】図８Ａとは異なる本発明の男性用軽失禁パッドの他の装着状態の例を示す図である。
【図９】本発明の男性用軽失禁パッドの製造工程の一例を示す工程図である。
【発明を実施するための形態】
【００２８】
以下、図面を参照しながら、本発明の男性用軽失禁パッドを具体的に説明するが、本発明は、特許請求の範囲に記載されている発明特定事項によって規定される技術的範囲に包含される男性用軽失禁パッドを広く包含するものであり、以下の実施形態に限定されるものではない。
【００２９】
〔男性用軽失禁パッド〕
本発明の男性用軽失禁パッドは、少なくとも片面が吸収性面である吸収性シートが冊子本状に成型されていて、２面以上の開き面を展開できると共に、複数の開き面が吸収性面となる積層構造を有している。
【００３０】
本発明においては、男性用軽失禁パッドの基本的な構造を分かり易く説明するために、男性用軽失禁パッドの構造を「冊子本状」と表現している。
本発明の男性用軽失禁パッドが、両外側吸収性シート間に内側吸収性シートを挟持した状態で綴じ部において一体成型されている構造が、通常の冊子本の構造と基本的に同一であることと、使用時に、外側吸収性シートと最初の中側吸収性シート間を開き、次に最初の中側吸収性シートと次の中側吸収性シート間を開く、というように順次吸収性シート間を開いて使用していく使用方法が、通常の冊子本の頁を順次捲って読み進めていく態様と基本的に異ならないことに基づいている。
したがって、本発明において「冊子本状」という用語は、２つの外側吸収性シートと両外側吸収性シート間の中側吸収性シートとが綴じ部において接合されている構造であり、且つ、各吸収性シート間が任意に開閉できる機能を備えた構造であることを意味する用語として使用されている。
【００３１】
本発明の男性用軽失禁パッドは、日常生活を営む男性が、軽度の失禁対策用の軽失禁パッドとして好適に用いることができる。具体的には、図１Ａ、図１Ｂに示すように、外側吸収性シート２４ａ、２４ｃと中側吸収性シート２４ｂが綴じ部３５によって冊子本状に一体化されており、その中側には、全面が吸収体２２ａ、２２ｂ、２２ｃが配置されている吸収性面である第１の面７１と第２の面７２を有していて、その第１の面７１又は第２の面７２を着用者の男性器に宛がって使用する男性用軽失禁パッド１ａである。
【００３２】
上記男性用軽失禁パッドは、外側吸収性シート２４ａ、２４ｃが、支持シート２０の内面側に吸収体２２ａと該吸収体２２ａを覆っている液透過性シート１８からなる積層構造を有する内面が吸収性面である吸収性シートであり、中側吸収性シート２４ｂは、両面に透水性シートで覆われている吸収体２２ｂ、２２ｃを有している両面が吸収性面である吸収性シートであるので、第１開き面７１と第２開き面７２が共に外側吸収性シート２４ａ、２４ｃの内面の吸収性面と中側吸収性シート２４ｂの吸収性面とによって囲まれていて全面が吸収性面となっている。
【００３３】
上記男性用軽失禁パッドは、図１Ｄに示されるように、最初に第１開き面７１を開いた状態で使用され、該第１開き面７１が汚れた場合は、図１Ｅに示されるように、中側吸収性シート２４ｂを第１開き面を閉じる方向に倒して第１開き面を閉鎖するとともに、未使用状態の第２開き面７２を開いて引き続き使用することができるし、この未使用の開き面７２を開く操作は軽失禁パッドを装着したままの状態でも可能である。
【００３４】
図１Ａ、図１Ｂに示されるような積層構造の外側吸収性シート２４ａ、２４ｃと中側吸収性シート２４ｂとが綴じ部３５において一体的に形成されている冊子本状の積層体は、例えば、図１Ｃの断面図に示されるように、同一積層構造の吸収性シートを二つ折りした状態で重ね合わせ、重ね合わせ面を接合することによって製造することができる。図１Ｃの断面図は、図１Ａ又は図１Ｂの男性用軽失禁パッドの外側吸収性シート２４ａ、２４ｃと中側吸収性シート２４ｂとを閉じた状態で、冊子本の背に相当する綴じ部３５から前小口に相当する前端部にかけて幅方向に軽失禁パッドを切断した断面を示す図である。
【００３５】
図１Ｃの断面図は、支持シート２０と透水性シート１８の間に吸収体２２ａ、２２ｂを離間して配置し、全体を積層一体化して形成している片面が吸収性面である積層体を、該吸収体２２ａ、２２ｂが離間している領域において谷折りした折目部３６ａにおいて吸収体２２ａ、２２ｂが対面するように折り畳んで形成されている二つ折り吸収性シートと、同様にして、指示シート２０と透水性シート１８の間に吸収体２２ｃ、２２ｄを離間して配置し、全体を積層一体化して形成している片面が吸収性面である積層体を、該吸収体２２ｃ、２２ｄが離間している領域において谷折りした折目部３６ｂにおいて吸収体２２ｃ、２２ｄが対面するように折り畳んで形成されている二つ折り吸収性シートが、それぞれの折目部３６ａと３６ｂが重なるように重ね合わされ、重ね合わせ面となる支持シート２０，２０間と折目部３６ａと３６ｂ間が接合されて冊子本状積層体が形成されている状態を示している。
【００３６】
図１Ｃにおいて、片面のみが吸収性面となっている吸収性シート部分２４ａと２４ｃは、図１Ａ、図１Ｂの冊子本状積層体における外側吸収性シート２４ａ、２４ｃに該当し、両面が吸収性面となっている吸収性シート部分２４ｂは両面吸収性シート２４ｂに該当し、谷折部３６ａと３６ｂ間の接合部は綴じ部３５に該当する。
そして、片面のみが吸収性面である吸収性シート部分２４ａと２４ｃのそれぞれの吸収性面と、両面が吸収性面である吸収性シート部分２４ｂの両面吸収性面との間の非接合状態部分Ａは第１開き面７１に、又、非接合状態部分Ｂは第２開き面７２に該当することとなる。
【００３７】
図２は、図１Ａ、図１Ｂに示されている冊子本状積層体における内面のみが吸収性面である一対の外側吸収性シート２４ａ及び２４ｃと、両面が吸収性面である中側吸収性シート２４ｂとを形成することができる図１Ｃとは異なる吸収性シートの組み合わせ例を示す断面図である。
図２の場合、支持シート２０と透水性シート１８の間に吸収体２２ａを配置して積層一体化して形成されている片面のみが吸収性面である吸収性シート部分２４ａ２と、同じく、支持シート２０と透水性シート１８の間に吸収体２２ｄを配置して積層一体化している片面のみが吸収性面である吸収性シート部分２４ｃ２とを形成し、別に、支持シート２０の両面に吸収体２２ｂと２２ｃを配置し、それぞれの吸収体を覆って透水性シート１８を積層し一体化して形成されている両面が吸収性面である吸収性シート部分２４ｂ２を作製し、吸収性シート部分２４ａ２と吸収性シート部分２４ｃ２をそれぞれの吸収性面が内側となるように対面配置し、両吸収性シート部分２４ａ２と２４ｃ２の間に吸収性シート部分２４ｂ２を挟持した状態で該３シートの重なり合っている一端部を接合一体化して綴じ部３５が形成されている。
【００３８】
上記構造の冊子本状積層体の場合も、片面のみが吸収性面である吸収性シート部分２４ａ２と２４ｃ２のそれぞれの吸収性面と、両面が吸収性面である吸収性シート部分２４ｂ２の両面吸収性面との間の非接合状態部分Ｃは第１開き面７１に、又、非接合状態部分Ｄは第２開き面７２に該当することとなる。
【００３９】
図３Ａは、図１Ａ、図１Ｂに示されている冊子本状積層体における内面のみが吸収性面である一対の外側吸収性シート２４ａ及び２４ｃと、両面が吸収性面である中側吸収性シート２４ｂとを形成することができる図１Ｃ、図２とは異なる吸収性シート部分の組み合わせ例を示す断面図である。
本発明における一対の外側吸収性シートとは、冊子本状積層体における最も外側に位置するシートであり、綴じ部を挟んで両側に位置するシート部分のことを指す。
本発明の外側吸収性シートは、その構成素材が綴じ部を挟んで連続シートであってもよいし、綴じ部を境に別々のシートであってもよい。
ここで、一対の外側吸収性シートは、図２に示すように２枚のシートから形成される２４ａと２４ｃであっても良いし、図３Ａに示す１枚のシートから連続的に形成される２４ａと２４ｃのような構成であっても良い。
【００４０】
図３Ａの断面図は、支持シート２０と透水性シート１８の間に吸収体２２ａ、２２ｂを離間して配置し、全体を積層一体化して形成している片面が吸収性面である積層体を、該吸収体２２ａ、２２ｂが離間している領域において谷折りした折目部３６ａにより折り畳んで二つ折り吸収性シートを作製し、別に、支持シート２０の両面に吸収体２２ｂと２２ｃを配置し、それぞれの吸収体を覆って透水性シート１８を積層し一体化して形成されている両面が吸収性面である吸収性シート部分２４ｂ３を作製して前記二つ折り吸収性シート間に挿入し、該吸収性シート部分２４ｂ３の一端を前記二つ折り吸収性シートの谷折りした折目部３６ａ内に差し込んだ状態で、該折目部３６ａと吸収性シート部分２４ｂ３の一端とを接合して綴じ部３５を形成している。
【００４１】
上記のように形成された図３Ａの冊子本状積層体は、前記二つ折りした吸収性シートの一方の片面のみが吸収性面である吸収性シート部分２４ａ３と２４ｃ３が外側吸収性シートとなり、該外側吸収性シート部分２４ａ３と２４ｃ３の吸収性面と対面する吸収性面を有する両面吸収性面である吸収性シート部分２４ｂ３が中側吸収性シートとなる。
そして、片面のみが吸収性面である吸収性シート部分２４ａ３と２４ｃ３のそれぞれの吸収性面と、両面が吸収性面である吸収性シート部分２４ｂ３の両面吸収性面との間の非接合状態部分Ｅは第１開き面７１に、又、非接合状態部分Ｆは第２開き面７２に該当することとなる。
【００４２】
図３Ｂは、図１Ａ、図１Ｂに示されている冊子本状積層体における内面のみが吸収性面である外側吸収性シート２４ａ及び２４ｃと、両面が吸収性面である中側吸収性シート２４ｂとを形成することができる図１Ｃ、図２、図３Ａとは異なる吸収性シート部分の組み合わせ例を示す断面図である。
図３Ｂの断面図は、支持シート２０と透水性シート１８の間に吸収体２２ｄ、２２ｃを離間して配置し、全体を積層一体化した構造の片面が吸収性面である積層体を、該吸収体２２ｄ、２２ｃが離間している領域において両吸収体２２ｃ、２２ｃの両面が相対するように谷折りして二つ折り吸収性シートを作製し、該二つ折り吸収性シートの一方の吸収性シート部の吸収体２２ｃが配置されている支持シート２０の反対面に、さらに吸収体２２ｂと透水性シート１８を積層して吸収性面とした二つ折り吸収性シートを作製し、別に、支持シート２０の片面に吸収体２２ａと透水性シート１８を積層して形成した片面が吸収性面である吸収性シートを作製し、この片面が吸収性面である吸収性シートの一端部を前記二つ折り吸収性シートの谷折りした折目部と重ねた状態で接合一体化して綴じ部３５を有する冊子本状積層体を形成している。
【００４３】
上記のように形成された図３Ｂの冊子本状積層体は、前記二つ折りした吸収性シートの一方の片面のみが吸収性面である吸収性シート部分２４ｃ４と、支持シート２０の片面に吸収体２２ａと透水性シート１８を積層して形成した片面が吸収性面である吸収性シート部分２４ａ４が外側吸収性シートとなり、該外側吸収性シート部分２４ａ４と２４ｃ４の吸収性面と対面する両面吸収性面を有する吸収性シート部分２４ｂ４が中側吸収性シートとなる。
そして、片面のみが吸収性面である吸収性シート部分２４ａ４と２４ｃ４のそれぞれの吸収性面と、両面が吸収性面である吸収性シート部分２４ｂ４の両面吸収性面との間の非接合状態部分Ｈは第１開き面７１に、又、非接合状態部分Ｇは第２開き面７２に該当することとなる。
【００４４】
図３Ｃは、図１Ｃ、図２、図３Ａ、図３Ｂとは異なる冊子本状積層体の構造を示す断面図である。
図３Ｃの断面図は、支持シート２０と透水性シート１８の間に吸収体２２ａ、２２ｂ、２２ｃ、２２ｄを一定間隔で離間して直列状態に配置し、全体を積層一体化した構造の片面が吸収性面である一枚の積層体を、各吸収体が離間している部分において吸収性面が内側となるように谷折り、山折り、谷折りを繰り返してＷ字型に折り畳み、２箇所の谷折りした折目部を重ね合わせて接合することにより綴じ部３５を有する冊子本状積層体を形成している。
【００４５】
上記のように形成された図３Ｃの冊子本状積層体は、前記山折りした折目部３７において折り返されて対面した状態となる支持シート２０，２０を挟んで両面に吸収体２２ｂと２２ｃを有する両面吸収性の吸収性シート部分２４ｂ５が中側吸収性シートとなり、片面が吸収体２２ａを有する吸収性面である吸収性シート部分２４ａ５と２４ｃ５が外側吸収性シートとなる。
そして、片面のみが吸収性面である吸収性シート部分２４ａ５と両面が吸収性面である吸収性シート部分２４ｂ５の間の非接合状態部分Ｊは第１開き面７１に、又、片面が吸収体２２ｄ５を有する吸収性面である吸収性シート部２４ｃ５と両面が吸収性面である吸収性シート部分２４ｂ５の間の非接合状態部分Ｋは第２開き面７２に該当することとなる。
【００４６】
図４は、図２に示されている冊子本状積層体における綴じ部３５の接合状態を変えた例を示す断面図である。
図４の場合、片面のみが吸収性面である吸収性シート部分２４ａ２と吸収性シート部分２４ｃ２と、両面が吸収性面である吸収性シート２２ｂの端部に、吸収体が存在しない支持シートと透水性シートのみからなる余白部７５を設けた構造を有している。
このような余白部７５を設けた綴じ部３５を有することにより、外側吸収性シート部分及び中側吸収性シートの開閉操作がし易くなるし、冊子状積層体の接合部近辺の厚みを薄くできるので、装着時の違和感が軽減される。
【００４７】
図５Ａ及び図５Ｂは、本発明の冊子本状積層体の綴じ部３５の形状の一例を示す斜視図と側面図であり、冊子本状積層体の綴じ部３５の長手方向中央部から地側の端部に至る途中の部位から、地側の端縁部に向かって傾斜して形成されている、全吸収性シート間を一体的に接合している線状乃至帯状の接合部３８を有している。図５Ａ，図５Ｂは、傾斜して形成されている接合部３８の外縁に沿って、その外側の三角形の角部を切り欠いている例を示しており、このような状態であることが好ましいが、該三角形の角部が充分に柔軟性を有する状態である場合には、該角部をそのまま残しておくこともできる。
【００４８】
このような傾斜接合部３８は、男性用軽失禁パッドとして使用するために吸収性面を男性器に宛がうように開いた場合に、該接合部３８の内側に凹状の空間（窪み）を形成する働きをする。この接合部３８は必ずしも連続する傾斜線又は傾斜帯として形成されていなくても良く、男性用失禁パッドを開いて着用者に装着した場合に剥がれることのない十分な接合強度を有する限り、不連続の線状又は帯状に形成することができるし、冊子本状積層体の地側の端縁部における綴じ部３５から適当距離離れた領域に適当な接合面積を有する円形状、矩形状等の形状の接合部として形成することもできる。また、この接合部は冊子本状積層体を構成する各吸収性シートを綴じ部３５で一体的に接合する際に、接合部３８に相当する傾斜部位を含む連続する綴じ部として形成することもできる。
【００４９】
図６Ａ〜図６Ｄは、本発明の男性用軽失禁パッドを構成する前記吸収性積層体の綴じ部３５を覆って背綴じシート８０を貼着した例を示す断面図である。
背綴じシート８０は、図６Ａに示すように、液不透過性フィルム８２を内側層とし、外側層として不織を積層した２枚の背綴じシートを、綴じ部３５を含む背部を広く覆って貼付することによって補強してもよく、図６Ｂに示すように単層の二枚のフィルム又は不織布等の背綴じシート８０で補強してもよい。
さらに、図６Ｃに示すように、一枚の単層の背綴じシート８０を綴じ部３５を含む背部全体を広く覆って貼付して補強してもよく、図６Ｄに示すように、二枚の外側吸収性シートのそれぞれの綴じ部側端部を別々に背綴じシート８０で覆った状態で綴じ部形成時に一緒に接合一体化して固定することもできる。
【００５０】
本発明の男性用軽失禁パッドは、図７に示すように、両面吸着性面の中側吸収性シートを３層とすることも無論可能であるし、更に、多数の両面吸着性面である中側吸収性シートを有する積層体とすることも可能であるが、使用済み面を含んだ状態であまりも長時間装着し続けることは好ましくないことと、嵩張ることを避けることが望ましいことから、１日分の軽失禁に対応できる使用面が確保できる２層〜３層程度の中側吸収性シートを含むものとすることが好ましい。
また、図７に示すように、男性用軽失禁パッドの吸収性シートの着用者の肌に接触する側の角部を丸みのあるなだらかな形状とすることが好ましい。
【００５１】
以下、本発明の男性用軽失禁パッドに使用される材料についてさらに詳細に説明する。
〔吸収性シート〕
本発明の男性用軽失禁パッドは、着用者の排泄した尿を吸収し保持する機能を担う部材として吸収性シートを備えている。この吸収性シートは、複数のシートが吸収体を挟持した状態で積層されたものであり、前述したように、吸収体を支持シートと透水性シートの間に挟持して接合一体化したものがこのましい。
【００５２】
〔透水性シート〕
透水性シートは、吸収性シートの内面、すなわち、着用者の肌に接する側に位置する面に配置されるシートである。
この透水性シートは、排泄された尿を吸収性シート内の吸収体側に速やかに通過させるものであり、透水性の内面を有することによって、配設された尿が失禁パッド外に漏れ出すことなく、速やかに吸収体に到達して吸収保持される。透水性シートは、尿透過性を有するシートであれば、シートの材質については特に制限はなく、例えば、織布、不織布、多孔性フィルム等を挙げることができる。
内面シートの更に好適な例としては、液透過性の不織布を挙げることができる。このような液透過性の不織布を用いることによって、肌触りが良好で、吸液後の表面のさらさら感を向上させることができる。
【００５３】
吸収性シートの内面は、吸収性シートの内面が全体として、軽失禁パッドの通常の使用状態で失禁時の尿の吸収機能を充分に果たせる吸収性面であればよく、全面を一種類の透水性シートからなる面とすることは必ずしも必要ではない。例えば、肌に接する面に求められる機能を備えた他のシート材料と組み合わせた面とすることも可能である。
【００５４】
〔支持シート〕
支持シートは、吸収体を外層を覆って配置される前記透水性シートと共に支持するシートであり、軽失禁パッドの前記外側吸収性シートの場合は、着用者の着衣に面する側に配置されるシートである。支持シートは、吸収体に吸収された尿を吸収性シートの外部に漏らさないように、尿が透過しない液不透過性シートや、加圧下では透過可能であるが、通常の装着状態では尿が透過しにくい液低透過性シートによって構成されていることが好ましい。
【００５５】
上記した支持シートとしては、一般的な吸収性製品に液不透過性シートとして使用されている、ポリエチレンフィルムを好適例として挙げることができる。このようなポリエチレンフィルムには、透湿性ポリエチレンフィルムと非透湿性ポリエチレンフィルムとがあり、いずれのフィルムも支持シートとして用いることができるが、透湿性ポリエチレンフィルムをより好適に用いることができる。このような透湿性ポリエチレンフィルムを支持シートとして使用することにより、着用中のムレが少なくなり、軽失禁パッドを着用した際の快適性を向上させることができる。
【００５６】
また、上記した液低透過性シートとしては、耐水圧の高い不織布を好適例として挙げることができる。耐水圧の高い不織布としては、例えば、ＳＭＳ（スパンボンド／メルトブロー／スパンボンド）、ＳＭＭＳ（スパンボンド／メルトブロー／メルトブロー／スパンボンド）等の不織布が好ましい。
これらの不織布は、疎水性合成繊維を集積してボンディングしたものであるため、尿をはじくことはあるが、圧力を加えると尿が通過してしまうことがある。但し、本発明の男性用軽失禁パッドを、日常生活を営む男性が、軽度の失禁対策用の軽失禁パッドとして利用する場合には、失禁時における尿の量が少ないため、このような液低透過性シートであっても、外面シートとして十分使用することが可能である。これにより、上述したポリエチレンフィルムを用いた場合よりも更に通気性を向上させることができ、軽失禁パッドを着用した際の快適性を更に向上させることができる。
【００５７】
なお、耐水圧とは、シートを構成する生地に浸み込もうとする水分に掛かる力を抑える性能（防水性）を数値で表したものであり、例えば、ＪＩＳ  Ｌ  １０９２  耐水度試験Ａ法に準拠した方法によって測定することができる。本発明の男性用軽失禁パッドにおいては、上記耐水圧の高い不織布として、耐水圧が４０ｍｍＡｑ．以上の不織布を挙げることができ、耐水圧が１００ｍｍＡｑ．以上の不織布を好適に用いることができる。
【００５８】
更に、支持シートとして、上記ポリエチレンフィルムと上記耐水圧の高い不織布とを積層したシートを用いてもよい。このように構成することによって、男性用軽失禁パッドを交換時や着用中、外面シートと着用者の下着とが擦れたり、外面シートを触ったりするときに音が生じ難く、着用者が周囲の目や耳を気にすることなく、安心して着用することができる。
【００５９】
〔吸収体〕
吸収体としては、一般的な吸収性製品に使用されている吸収体を用いることができる。例えば、吸収体を構成する吸収材としては、木材パルプを綿状に粉砕したフラッフパルプと高吸水性樹脂（以下、「ＳＡＰ」ということがある）を好適例として挙げることができる。
必要に応じて、上記吸収材をラップするために、吸水紙や親水化処理した不織布を更に有していてもよい。即ち、上記吸水紙や親水化処理した不織布によってフラッフパルプとＳＡＰとを含む吸収材を包んでなる吸収体とすることができる。
【００６０】
本発明の男性用軽失禁パッドにおいては、軽失禁用途として、極めて微量の吸水量に対応するためのものであれば、吸収体は多くの吸収量を必要としないので、失禁パッドの薄型へのニーズに応えるためにも、吸収体と、この吸収体を挟持する一方のシートとを一体的に構成してもよい。例えば、上記したＳＭＳ不織布やＳＭＭＳ不織布にＳＡＰを直接固定し、更にこの表面に上記吸水紙やラップ用不織布を被せることによって、吸収体と裏面シートとを一体化し、両者の機能を有する一枚の吸水シートとして使用してもよい。また、親水性不織布にＳＡＰだけを挟持したＳＡＰシートを用いることもできる。
【００６１】
吸収体の配置状態は特に限定されるものではなく、連続で配置されていてもよく、分割して配置されていても良いが、図１Ｃで示すように、吸収性シートの外周縁領域には吸収体が配置されていないことが好ましい。
【００６２】
〔綴じ部〕
本発明の男性用軽失禁パッドは、冊子本状の積層体の背部に綴じ部が形成されている。この綴じ部は、中側吸収性シート部分と外側吸収性シート部分を冊子本状に綴じて一体化する場合、下記（１）〜（３）のいずれかの方法で形成することが好適である。
【００６３】
（１）吸収性シートの吸収性面を内側に向けて谷折りに折り畳んだ折目部を重ねて綴じ合わせた綴じ部によって、各吸収性シートを冊子本状に一体化する。
【００６４】
（２）各吸収性シートの端部を揃えて積層し、前記端部のうちの一端部を平綴じした綴じ部によって一体化する。
【００６５】
（３）吸収性面を内側に向けて折り畳んだ吸収性シートを、他の吸収性シートと積層し、谷折りした折目部において、他の吸収性シートの端部と綴じ合わせて一体化する。
【００６６】
上記（１）の場合、例えば、図１Ｃに示すような男性用軽失禁パッドのように、一方では、吸収性シート部分２４ａと吸収性シート部分２４ｂを谷折りした折目部３６ａにおいて内側に向けて折り畳んだ吸収性シート部分２４ａを形成し、他方では、吸収性シート部分２４ｄと吸収性シート部分２４ｃを谷折りした折目部３６ｂにおいて内側に向けて折り畳んだ吸収性シート部分２４ｃを形成し、吸収性シート部分２４ａと吸収性シート部分２４ｃの両折目部３６ａ、３６ｂ部分を合わせて全体を重ね合わせ、吸収性シート部分２４ｂと吸収性シート部分２４ｃの互いに相対する支持シート面間と、折目部３６ａと折目部３６ｂの重なり部分を接合することにより、一体化されている両面吸収性面である中側吸収性シート２４ｂを形成すると共に綴じ部３５を形成することができる。
【００６７】
このような綴じ部を形成し、かつ、両面吸収性面である中側吸収性シート部分を形成することにより、図１Ａに示されるように、外側吸収性シート２４ａの内側を開いた開き面Ａを男性器にあてて使用して尿を吸収した際には、外側吸収性シート２４ａの支持シート２０によって尿が外に漏れ出さないし、両面吸収性面である中側吸収性シート２４ｂが有する支持シート２０，２０によって尿が中側吸収性シート２４ｂの未使用の開き面Ｂに浸み出すこともなく、開き面Ａを使用後に中側吸収性シート２４ｂを開き面Ａを閉じる方向に倒すだけで、使用面Ａを閉じ込めると同時に、未使用の開き面Ｂを露出させて男性器に宛てがうことができる。
【００６８】
上記の使用例では、開き面Ａを先に使用する態様について説明したが、無論、開き面Ｂを先に使用することも可能である。
なお、両面吸収性面である中側吸収性シート部分２４ｂにおいて相対している吸収性シート部分２４ｂと吸収性シート部分２４ｃの支持シート２０，２０間の接合は、連続的又は間欠的な接合手段で行うことができる。
また、該支持シート２０，２０間は、接合しない状態としておくことが許容される場合もある。例えば、該支持シート２０、２０により形成される開き面を、吸収目的に以外の目的で使用する場合が考えられる。さらに詳しくは、快適性の高い表面材を該支持シートによってできる開き面を形成する該支持シート上に積層すれば、吸収面を利用する時以外に宛がうことができる快適性の高い内面を具備させることができる。前記快適性の高い表面材の例としては、メッシュシート（不織布、フィルム、布）などを挙げることができる。
【００６９】
上記（２）の場合、前記図２について説明したように、支持シート２０と透水性シート１８の間に吸収体２２ａを配置して積層一体化して形成されている片面のみが吸収性面である吸収性シート部分２４ａ２と、同じく、支持シート２０と透水性シート１８の間に吸収体２２ｄを配置して積層一体化している片面のみが吸収性面である吸収性シート部分２４ｃ２とを形成し、別に、支持シート２０の両面に吸収体２２ｂと２２ｃを配置し、それぞれの吸収体を覆って透水性シート１８を積層し一体化して形成されている両面が吸収性面である吸収性シート部分２４ｂ２を作製し、吸収性シート部分２４ａ２と吸収性シート部分２４ｃ２をそれぞれの吸収性面が内側となるように対面配置し、両吸収性シート部分２４ａ２と２４ｃ２の間に吸収性シート部分２４ｂ２を挟持した状態で該３シートの重なり合っている一端部を接合一体化して綴じ部３５が形成される。
【００７０】
上記構造の冊子本状積層体の場合も、片面のみが吸収性面である吸収性シート部分２４ａ２と２４ｃ２のそれぞれの吸収性面と、両面が吸収性面である吸収性シート部分２４ｂ２の両面吸収性面との間の非接合状態の部分Ｃ，Ｄは開き面となる。
【００７１】
上記（３）の場合、前記図３Ａについて説明したように、支持シート２０と透水性シート１８の間に吸収体２２ａ、２２ｂを離間して配置し、全体を積層一体化して形成している片面が吸収性面である積層体を、該吸収体２２ａ、２２ｂが離間している領域における谷折部３６ａにおいて折り畳んで二つ折り吸収性シートを作製し、別に、支持シート２０の両面に吸収体２２ｂと２２ｃを配置し、それぞれの吸収体を覆って透水性シート１８を積層し一体化して形成されている両面が吸収性面である吸収性シート部分２４ｂ３を作製して前記二つ折り吸収性シート間に挿入し、該吸収性シート部分２４ｂ３の一端を前記二つ折り吸収性シートの谷折部３６ａ内に差し込んだ状態で、該谷折部３６ａと吸収性シート部分２４ｂ３の一端とを接合して綴じ部３５を形成している。
【００７２】
上記のように形成された図３Ａの冊子本状積層体は、片面のみが吸収性面である吸収性シート部分２４ａ３と２４ｃ３のそれぞれの吸収性面と、両面が吸収性面である吸収性シート部分２４ｂ３の両面吸収性面との間の非接合状態の部分Ｅと非接合状態の部分Ｆが開き面となる。
【００７３】
さらに、（３）の場合、例えば、図３Ｂに示すような男性用軽失禁パッドのように、谷折りにした吸収性シート２４ａ４と吸収性シート２４ｃ４の端部を揃えて積層し、端部をヒートシール等で接合することにより、綴じ部３５を形成することができる。
このような綴じ部を形成することにより、外側吸収性シート２４ａ４の吸収性内面と中側吸収性シート２４ｂ４の一方の吸収性面の間の非接合部分Ｈと、外側吸収性シート部分２４ｃ４の吸収性内面と中側吸収性シート２４ｂ４の他方の吸収性面の間の非接合部分Ｇが開き面となる。
【００７４】
上記（１）〜（３）の方法は、複数の吸収性シートを使用した男性用軽失禁パッドの製造例であるが、一枚の吸収性シートでも本発明の男性用軽失禁パッドを成型することができる。図３Ｃの説明ですでに述べたように、支持シート２０と透水性シート１８の間に吸収体２２a、２２ｂ、２２ｃ、２２ｄを一定間隔で離間して直列状態に配置し、全体を積層一体化した構造の片面が吸収性面である一枚の積層体を、各吸収体が離間している部分において吸収性面が内側となるように谷折り、山折り、谷折りを繰り返してＷ字型に折り畳み、２箇所の谷折り部分を重ね合わせて接合することにより綴じ部３５を有する冊子本状積層体を形成している。
【００７５】
上記のように形成された図３Ｃの冊子本状積層体では、片面のみが吸収性面である吸収性シート部分２４ａ５と両面が吸収性面である吸収性シート部分２４ｂ５の間の非接合状態部分Ｊと、片面が吸収体２２ｄ５を有する吸収性面である吸収性シート部２４ｃ５と両面が吸収性面である吸収性シート部分２４ｂ５の間の非接合状態部分Ｋが開き面となる。
このような綴じ部３５を形成することにより、一枚の積層体により容易に２面の開き面を有する男性用軽失禁パッドを形成することができる。また、綴じ部３５に吸収体が存在しないので、綴じ部３５から尿漏れを起こすおそれがない。
【００７６】
綴じ部３５は、各吸収性シートの吸収体が存在しない余白部において、綴じ合わせて形成されていることが好ましい。図２の場合、吸収体２２の端部に近接したシート部で接合されて綴じ部３５が形成されているのに対し、図４では、吸収体２２が存在しない余白部７５において、綴じ部３５が形成されている。図４のような構成にすることにより、吸収性シート部分を折りやすくなるし、折り部が厚くなることがないので、このような構成の男性用軽失禁パッドは、装着の際に違和感を与えないようなものとなる。また、吸収体が綴じ部に近接して形成されていないので、吸収体からの尿の漏れが生起することもない。
【００７７】
また、図３Ｂに示されているように、二つの開き面の真ん中に配置される中側吸収性シート２４ｂ４における支持シート２０の小口側の端縁部分は、開き面Ｇ又はＨを閉じたときに、相対する外側吸収性シート支持シート２０の小口側の端縁を覆うことができるように、外側吸収性シートの小口側の端縁より外方に突出している状態であることが好ましい。
【００７８】
このようにすると、最初に使った開き面の汚れを中側吸収性シート２４ｂ４の支持シート２０の先端部が覆うこととなるので、次に使う開き面を男性器に宛てたとき、仮に先に使った開き面が濡れたり汚れたりしていても、そのような汚れ部分に男性器が触れることを防ぐことができる。
綴じ部３５を固定する方法は、接着剤による接着、ヒートシール、超音波シール、熱エンボスロールによる融着、加圧ロールによる圧着などが挙げられる。
【００７９】
〔折目部を維持する接合部〕
図５Ｂに示すように、本発明の男性用軽失禁パッド１ｂは、綴じ部３５による接合以外に、綴じ部３５の中央部から一方の端部に至る途中の部位から、冊子本状積層体の地側の下端部２９又は天側の上端部２８における前記綴じ部３５の長手方向両端部から所定距離離れた箇所に至る、各シート間を一体的に接合した傾斜接合部３８を設けても良い。このような傾斜接合部３８は、着用者が男性用軽失禁パッドを使用するために開き面を形成しようとした際に、該接合部が形成されている部分（綴じ部となっている）の内側の谷折り状態の吸収性シート間を完全に開くことができないように開き状態を制限するために設けられる。
このような接合部３８を有する吸収性シートは、使用時に開き面を展開したときに、該接合部の内側部分に凹状の空間（ポケット）が形成される。
なお、上記した「展開」とは、冊子本状積層体の吸収性シート間を拡げて（展開させて）、冊子本状積層体の内面側を着用者に宛がって使用することが可能な状態にすることをいう。
【００８０】
図５Ａに示すように、冊子本状積層体の地側となる下端部２９に向かう傾斜接合部３８を有する男性用軽失禁パッドは、冊子本状積層体の吸収性シート間を拡げた（展開した）場合、綴じ部３５の内側部分は綴じ部まで吸収性シート間を拡げることができるが、接合部３８の周辺部分では、綴じ部３５の内側の接合部まで谷折り状態の吸収性シート間を充分に拡げることができず、接合部３５の周囲の吸収性シートにタック（即ち、襞状の折れ目）が形成された状態となり、吸収性シートの内面側に凹状の空間が形成される。
【００８１】
男性用軽失禁パッドがこのような形状になると、男性器に宛がった際のフィット性（収まり状態）が非常に良好になる。特に、上記接合部側が、着用者の睾丸側に位置するようにして軽失禁パッドを宛がうことによって、睾丸側から着用者の前方（前半身）にかけて軽失禁パッドが拡がるように男性器を覆うことができるため、着用時の違和感を大幅に軽減することができる。
【００８２】
また、前記凹状空間を形成するための接合部は、接着剤による接着、ヒートシール、超音波シール、熱エンボスロールによる融着、加圧ロールによる圧着等によって形成することができる。
また、前記凹状空間を形成するための接合部は、冊子本状積層体の天側又は地側の端縁部の一方のみ配置されていることが好ましいが、両方の端縁部に配置してもよい。
【００８３】
〔背綴じシート〕
本発明の男性用軽失禁パッドにおいては、図２に示すように、綴じ部に吸収体の端部がある場合、接合が不十分となって尿が染み出すことがあるため、綴じ部３５の外面に、背綴じシート８０を貼合することが好ましい。この背綴じシート８０は、綴じ部３５において、尿が内面シート１８を伝って、外面シート２０側に染み出すことを防止するものである。
【００８４】
例えば、図６Ａに示すように、両外側吸収性シートの支持シート２０，２０と、ポリエチレンフィルム等のフィルム８２と不織布８４とを積層したシートをヒートシール等により接合して背綴じシート８０を配置してもよい。このように構成することによって、尿漏れを防止することができ、かつ、上述したように、男性用軽失禁パッドの展開面の交換時や着用中に、支持シート２０と着用者の下着とが擦れたときや、支持シート２０面に触ったときに音が生じ難く、着用者が周囲の目や耳を気にすることなく、安心して着用することができる。
【００８５】
図６Ｂに示すように、外側吸収性シートの外面シート２０、２０と背綴じシート８０をヒートシール等により接合してもよい。このように構成することによって、外面シート２０ａと背綴じシート８０の接合と外面シート２０ｂと背綴じシート８０の接合によって、吸収性シート２４と背綴じシート８０の間に高い防漏性を付与することができる。
【００８６】
また、図６Ｃに示すように外面シート２０と背綴じシート８０を  ホットメルト接着剤等により接合し、さらに吸収性シートを介さずに背綴じシート８０同士を接合してもよい。このように構成することによって、背綴じ部が薄くなるので、男性用軽失禁パッドを展開しやすく、嵩張らないものとすることができる。
【００８７】
図６Ｄに示すように、両外側吸収性シートの綴部側の端縁部を別々に背綴じシート８０で被覆した後、中側吸収性シートの端縁部を、両外側吸収性シートの綴部側の端縁部を別々に被覆している背綴じシート８０、８０で挟み込むように重ね合わせた上で、両背綴じシート８０、８０の折目部を支持シート２０，２０及び透水性シート１８，１８，１８，１８の各端部より外側に延出させ、延出部を合掌型に重ね合わせて接合して接合部７７を形成してもよい。このように構成することによって、各透水性シート１８の端部からの尿の染み出しを効果的に防ぐことができ、綴じ部３５に高い防漏性が付与される。
【００８８】
なお、上記の例では、２面の開き面を有する男性用軽失禁パッドについて説明したが、本発明は、２面以上の複数の開き面を展開できるものをも包含するものであり、図７に示すような３面以上の開き面を具備させる場合でも、前記（１）〜（３）の綴じ部の形成方法を組み合わせることによって、容易に製造することが可能である。
【００８９】
〔固定用接着部〕
本発明の男性用軽失禁パッドは、外側吸収性シートの外面側に、着用者の下着の内側に軽失禁パッドを固定するための接着部を更に有するものであってもよい。この固定用接着部は、衣類やおむつに男性用軽失禁パッドを着脱可能に接着させて固定するためのものである。このような接着部を配置することによって、装着後、男性用軽失禁パッドの位置がズレてしまうことを防止することができる。接着部としては、両面粘着テープ、メカニカルファスナー等を挙げることができる。
接着部の大きさや配置する位置については、男性用軽失禁パッドを衣類やおむつ等の内面に固定することができ、男性用軽失禁パッドの位置ズレを防止することができる程度の結合力が得られるものであれば特に制限はない。
【００９０】
また、このような接着部は、接着部の表面を被覆するように配置された接着部保護テープを更に備えていてもよい。このように構成することによって、使用前の状態の接着部が、不要な箇所に接着してしまうことを有効に防止することができる。接着部保護テープは、接着部に対して剥離可能な材質のテープによって形成することができる。
接着部保護テープの材質については特に制限はなく、接着部の種類に応じて適宜選択することができ、接着部に対して剥離可能に接着されるものであればよい。
【００９１】
〔その他〕
本発明の男性用軽失禁パッドは、図８Ａに示すように、綴じ部（３５）が縦方向になるように装着することが、男性器との装着感の観点から好ましいが、図８Ｂのように、綴じ部（３５）が横方向になるように装着することもできる。
また、本発明の男性用軽失禁パッドは、複数の開き面が吸収性シートの吸収性面であるが、漏れに対する不安感を解消する観点から、全ての開き面が吸収性面であることが特に好ましい。
【００９２】
〔男性用軽失禁パッドの製造方法〕
本発明の男性用軽失禁パッドの製造方法を、図５Ａ，図５Ｂに示すような、綴じ部の片側に谷折り状態を維持する接合部を有し、吸収性シートが冊子本状に形成された男性用軽失禁パッド１ｂを製造する場合の例について、図９を参照して説明する。
【００９３】
図９に示すように、連続供給される帯状の支持シート２０の上面に、親水性シートに包まれた所定形状の吸収体２２ｂ、２２ｃを２列に、かつ、流れ方向に等間隔で配置する。更に、該吸収体群の上面を覆って支持シート２０と同一幅の透水性シート１８を連続供給して配置する。次いで、各吸収体２２ｂ、２２ｃの周縁部を透水性シート１８と支持シート２０とで包み込むように接合して封鎖し、その後、支持シート２０側に中央線に沿って２つ折りにすることによって、シート状の中側吸収性シート２４ｂの原反を作成する。
別に、連続供給される帯状の支持シート２０の上面に、親水性シートに包まれた所定形状の吸収体２２ａ、２２ｄを２列に、かつ、流れ方向に等間隔で配置する。更にそれらの吸収体群の上面を覆って支持シート２０と同一幅の透水性シート１８を連続供給して配置する。次いで、吸収体２２ａ，２２ｄの周縁部を透水性シート１８と支持シート２０とで包み込むように接合して封鎖することにより、外側吸収性シート２４ａの原反を作成する。
【００９４】
次に、上記の様に作成した中側吸収性シート２４ｂの原反の上端縁を、上記のように、中側吸収性シート２４ｂとは別に作成した外側吸収性シート２４ａの原反の中央線に合わせるように外側吸収性シートの原反上に配置し、外側吸収性シート２４ａの原反を内側に２つ折りにしてその両側縁を合わせ、綴じ部３５と接合部３８となる部位をヒートシールなどの接合手段７８で接合して冊子本状積層体の原反を作成する。
次いで、冊子本状積層体の原反を、それぞれの吸収体の外周に沿って、切り抜き線７３で切り抜くことにより、綴じ部３５の長手方向一端側に接合部３８を有している、吸収性シートが冊子本状に積層された、図５Ａ、図５Ｂに示すタイプの男性用軽失禁パッド１ｂを製造することができる。
【産業上の利用可能性】
【００９５】
本発明の男性用軽失禁パッドは、失禁対策用の男性用の尿パッドとして利用することが可能である。特に、日常生活を営む男性が軽度の失禁対策として、携帯用の男性用軽失禁パッドとして好適に用いることができる。
【符号の説明】
【００９６】
１ａ，１ｂ，１ｃ：男性用軽失禁パッド、１８：透水性シート、２０：支持シート、２０ａ：一方の外吸収性シートの支持シート、２０ｂ：他方の吸収性シートの支持シート、２２ａ，２２ｂ，２２ｃ，２２ｄ：吸収体、２４、２４ａ、２４ａ２、２４ａ３、２４ａ４、２４ａ５：外側吸収性シート、２４ｂ、２４ｂ’、２４ｂ２、２４ｂ３、２４ｂ４、２４ｂ５：中側吸収性シート、２４ｃ、２４ｃ２、２４ｃ３、２４ｃ４、２４ｃ５：外側吸収性シート、２８：天側の端縁部、２９：地側の端縁部、３０：小口側の端縁部、３５：綴じ部、３６、３６ａ、３６ｂ、３７：折目部、３８：接合部、５４：男性器、５４ａ：睾丸、５４ｂ：陰茎、：７１、７２：開き面、７３：切り抜き線、７５：余白部、７７：接合手段、８０：背綴じシート、８２：フィルム、８４：不織布、Ａ、Ｂ、Ｃ、Ｄ、Ｅ、Ｆ、Ｇ、Ｈ、Ｊ、Ｋ：開き面。
【図１Ａ】
2010273775.tif 000003
【図１Ｂ】
2010273775.tif 000004
【図１Ｃ】
2010273775.tif 000005
【図１Ｄ】
2010273775.tif 000006
【図１Ｅ】
2010273775.tif 000007
【図２】
2010273775.tif 000008
【図３Ａ】
2010273775.tif 000009
【図３Ｂ】
2010273775.tif 000010
【図３Ｃ】
2010273775.tif 000011
【図４】
2010273775.tif 000012
【図５Ａ】
2010273775.tif 000013
【図５Ｂ】
2010273775.tif 000014
【図６Ａ】
2010273775.tif 000015
【図６Ｂ】
2010273775.tif 000016
【図６Ｃ】
2010273775.tif 000017
【図６Ｄ】
2010273775.tif 000018
【図７】
2010273775.tif 000019
【図８Ａ】
2010273775.tif 000020
【図８Ｂ】
2010273775.tif 000021
【図９】
2010273775.tif 000022